(57)【要約】【課題】  メモリ内に記憶されている画像情報が増えることで、表示等の機会が少なくなる画像情報を有効に活用可能とする。【解決手段】  例えば、電子メールやスケジュール等の文字情報の表示時に、当該表示する文字情報に含まれるキーワードを検出すると共に、この検出したキーワードに対応する撮像時刻や表題等の付加情報が付加された画像情報をメモリから検索し、この検索した画像情報のサムネイル画像を一覧表示する。これにより、文字情報に関連する画像情報のサムネイル画像を自動的に表示することができ、メモリに記憶されている画像情報を有効に活用可能とすることができる。また、表示されている文字情報に関連する画像情報の存在を、ユーザに対して自動的に知らせることができる。このため、ユーザが忘れていたり、見つけられなかった画像情報が表示される機会を増やすことができ、ユーザの想い出の想起等を図ることができる。【選択図】  図３
2008177642.tif 000002
【特許請求の範囲】
【請求項１】
文字情報を表示手段に表示する文字表示手段と、
上記文字表示手段により表示された文字情報から所定のキーワードを検出するキーワード検出手段と、
所定の付加情報が付加されて記憶手段に記憶されている画像情報の中から、上記キーワード検出手段で検出されたキーワードに対応する付加情報が付加されている画像情報を検出する画像情報検出手段と、
上記画像情報検出手段で検出された画像情報のサムネイル画像を上記表示手段に表示するサムネイル画像表示手段と
を有する表示制御装置。
【請求項２】
請求項１に記載の表示制御装置であって、
上記キーワード検出手段は、上記文字表示手段により上記表示手段に表示された文字情報のうち、上記検出した所定のキーワードとなる文字情報を明示化して表示する明示化表示処理を行い、
上記サムネイル画像表示手段は、上記キーワード検出手段により明示化表示処理が施された文字情報である上記キーワードが選択操作された際に、上記画像情報検出手段で検出された画像情報のうち、上記選択操作されたキーワードに対応する画像情報のサムネイル画像を上記表示手段に一覧表示すること
を特徴とする表示制御装置。
【請求項３】
請求項１に記載の表示制御装置であって、
上記サムネイル画像表示手段は、上記画像情報検出手段で検出された画像情報のサムネイル画像を、上記文字表示手段で表示されている上記文字情報と共に上記表示手段に表示すること
を特徴とする表示制御装置。
【請求項４】
請求項３に記載の表示制御装置であって、
上記サムネイル画像表示手段は、上記文字表示手段で上記文字情報が表示されている上記表示手段上の余領域に、上記画像情報検出手段で検出された画像情報のサムネイル画像を一覧表示すること
を特徴とする表示制御装置。
【請求項５】
文字表示手段が文字情報を表示手段に表示するステップと、
上記ステップにおいて上記文字表示手段により表示された文字情報から、キーワード検出手段が所定のキーワードを検出するステップと、
画像情報検出手段が、所定の付加情報が付加されて記憶手段に記憶されている画像情報の中から、上記ステップにおいてキーワード検出手段で検出されたキーワードに対応する付加情報が付加されている画像情報を検出するステップと、
サムネイル画像表示手段が、上記ステップにおいて上記画像情報検出手段で検出された画像情報のサムネイル画像を上記表示手段に表示するステップと
を有する表示制御方法。
【請求項６】
文字情報を表示手段に表示する文字表示手段としてコンピュータを機能させ、
コンピュータを上記文字表示手段として機能させることで上記表示手段に表示された文字情報から所定のキーワードを検出するキーワード検出手段としてコンピュータを機能させ、
所定の付加情報が付加されて記憶手段に記憶されている画像情報の中から、コンピュータを上記キーワード検出手段として機能させることで検出されたキーワードに対応する付加情報が付加されている画像情報を検出する画像情報検出手段としてコンピュータを機能させ、
コンピュータを上記画像情報検出手段として機能させることで検出された画像情報のサムネイル画像を上記表示手段に表示するサムネイル画像表示手段としてコンピュータを機能させること
を特徴とする表示制御プログラム。
【請求項７】
文字情報を表示手段に表示する文字表示手段と、
上記文字表示手段により表示された文字情報から所定のキーワードを検出するキーワード検出手段と、
所定の付加情報が付加された画像情報を記憶する記憶手段と、
上記記憶手段に記憶されている画像情報の中から、上記キーワード検出手段で検出されたキーワードに対応する付加情報が付加されている画像情報を検出する画像情報検出手段と、
上記画像情報検出手段で検出された画像情報のサムネイル画像を上記表示手段に表示するサムネイル画像表示手段と
を有する携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、或いはノート型やデスクトップ型のパーソナルコンピュータ装置等の文字情報と画像情報を取り扱う機器に適用して好適な表示制御装置、表示制御方法、表示制御プログラム、及び携帯端末装置に関し、特に、表示する文字情報に関連する画像情報を自動的に検索して表示可能とした表示制御装置、表示制御方法、表示制御プログラム、及び携帯端末装置に関する。
【背景技術】
【０００２】
特開２００４−３２５９３７号の公開特許公報（特許文献１）に、複数の静止画像を１枚ずつ表示する順次表示中に、該静止画像の表示時間を変更可能とした画像表示制御装置が開示されている。
【０００３】
この画像表示制御装置の場合、静止画像の順次表示中にリモートコントローラの第１のボタンを押圧操作すると、順次表示する静止画像の表示切替の間隔を短くして、該静止画像の高速表示切り替えを行う。また、静止画像の順次表示中にリモートコントローラの第２のボタンを押圧操作すると、順次表示する静止画像の表示切替の間隔を長くして、該静止画像の低速表示切り替えを行う。これにより、順次表示中であっても、各静止画像の表示時間をユーザが任意に変更可能となっている。
【０００４】
ここで、機器内に記憶されている情報は、例えば電子メールの情報は電子メールの情報として、また、画像情報は画像情報として管理される等のように、各情報の種類毎に別々に管理されるようになっている。このため、メモリに記憶されている多数の画像情報の中から所望の画像情報を検索する場合、ユーザが頭で記憶している撮像日時を頼りに該所望の画像情報を検索するか、各画像情報のサムネイル画像を一覧表示し、このサムネイル画像の一覧を見ながら所望の画像を検索するか、或いは上述の特許文献１の画像表示制御装置のように、多数の画像情報を１枚ずつ表示しながら検索していた。
【０００５】
【特許文献１】特開２００４−３２５９３７号公報（第５頁〜第６頁：図４）
【発明の開示】
【発明が解決しようとする課題】
【０００６】
しかし、検索できなかった画像情報や、撮像したことが忘れられた画像情報は、表示等の活用の機会が失われることとなるため、せっかく撮像したにもかかわらず、有効に活用されない問題があった。
【０００７】
本発明は上述の課題に鑑みてなされたものであり、文字情報と画像情報を関連づけて取り扱い、文字情報の表示時に、当該表示する文字情報に関連する画像情報のサムネイル画像を自動的に表示することで、メモリに記憶されている画像情報を有効に活用することができるような表示制御装置、表示制御方法、表示制御プログラム、及び携帯端末装置の提供を目的とする。
【課題を解決するための手段】
【０００８】
本発明に係る表示制御装置は、上述の課題を解決するための手段として、
文字情報を表示手段に表示する文字表示手段と、
上記文字表示手段により表示された文字情報から所定のキーワードを検出するキーワード検出手段と、
所定の付加情報が付加されて記憶手段に記憶されている画像情報の中から、上記キーワード検出手段で検出されたキーワードに対応する付加情報が付加されている画像情報を検出する画像情報検出手段と、
上記画像情報検出手段で検出された画像情報のサムネイル画像を上記表示手段に表示するサムネイル画像表示手段と
を有する表示制御装置。
【０００９】
また、本発明に係る表示制御方法は、上述の課題を解決するための手段として、
文字表示手段が文字情報を表示手段に表示するステップと、
上記ステップにおいて上記文字表示手段により表示された文字情報から、キーワード検出手段が所定のキーワードを検出するステップと、
画像情報検出手段が、所定の付加情報が付加されて記憶手段に記憶されている画像情報の中から、上記ステップにおいてキーワード検出手段で検出されたキーワードに対応する付加情報が付加されている画像情報を検出するステップと、
サムネイル画像表示手段が、上記ステップにおいて上記画像情報検出手段で検出された画像情報のサムネイル画像を上記表示手段に表示するステップと
を有する。
【００１０】
また、本発明に係る表示制御プログラムは、上述の課題を解決するために、
文字情報を表示手段に表示する文字表示手段としてコンピュータを機能させ、
コンピュータを上記文字表示手段として機能させることで上記表示手段に表示された文字情報から所定のキーワードを検出するキーワード検出手段としてコンピュータを機能させ、
所定の付加情報が付加されて記憶手段に記憶されている画像情報の中から、コンピュータを上記キーワード検出手段として機能させることで検出されたキーワードに対応する付加情報が付加されている画像情報を検出する画像情報検出手段としてコンピュータを機能させ、
コンピュータを上記画像情報検出手段として機能させることで検出された画像情報のサムネイル画像を上記表示手段に表示するサムネイル画像表示手段としてコンピュータを機能させる。
【００１１】
また、本発明に係る携帯端末装置は、上述の課題を解決するための手段として、
文字情報を表示手段に表示する文字表示手段と、
上記文字表示手段により表示された文字情報から所定のキーワードを検出するキーワード検出手段と、
所定の付加情報が付加された画像情報を記憶する記憶手段と、
上記記憶手段に記憶されている画像情報の中から、上記キーワード検出手段で検出されたキーワードに対応する付加情報が付加されている画像情報を検出する画像情報検出手段と、
上記画像情報検出手段で検出された画像情報のサムネイル画像を上記表示手段に表示するサムネイル画像表示手段と
を有する。
【００１２】
このような本発明は、記憶手段に記憶されている各画像情報毎に所定の付加情報が付加されており、表示手段に文字情報を表示する際に、この表示する文字情報からキーワードを検出する。そして、記憶手段に記憶されている画像情報の中から、この検出したキーワードに対応する付加情報が付加されている画像情報を検出し、この検出した画像情報のサムネイル画像を一覧表示する。
【００１３】
これにより、文字情報と画像情報を関連づけて取り扱うことができ、表示する文字情報に対応する画像情報のサムネイル画像を自動的に表示することができるため、メモリに記憶されている画像情報を有効に活用可能とすることができる。
【発明の効果】
【００１４】
本発明は、文字情報と画像情報を関連づけて取り扱うことができ、文字情報の表示時に、当該表示する文字情報に関連する画像情報のサムネイル画像を自動的に表示することで、記憶手段に記憶されている画像情報を有効に活用可能とすることができる。
【００１５】
また、表示されている文字情報に関連する画像情報の存在を、ユーザに対して自動的に知らせることができる。このため、ユーザが忘れていたり、見つけられなかった画像情報が表示される機会を増やすことができ、ユーザの想い出の想起等を図ることができる。
【発明を実施するための最良の形態】
【００１６】
本発明は、携帯電話機に適用することができる。
【００１７】
［携帯電話機の構成］
この本発明の実施の形態となる携帯電話機は、図１に示すように基地局との間で無線通信を行うアンテナ１及び通信回路２と、着信音や受話音声等の音響出力を得るためのスピーカ部３と、送話音声を集音するマイクロホン部４と、画像（動画像、静止画像等）や文字等を表示するための表示部５と、文字等の入力操作や所望のメニューの選択操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９と、現在時刻をカウントするタイマ１０と、当該携帯電話機の現在位置を検出するためのＧＰＳアンテナ１１及びＧＰＳユニット１２（GPS：Global Positioning System）とを有している。
【００１８】
また、この携帯電話機は、基地局を介した無線通信処理を行うための通信処理プログラム（コミュニケーションプログラム）の他、各種アプリケーションプログラムや、これら各アプリケーションプログラムで取り扱われる各種データ（コンテンツ）等が記憶されたメモリ１３と、当該携帯電話機全体を制御する制御部１４とを有している。
【００１９】
メモリ１３には、カメラ部８の撮像制御や、カメラ部８で撮像され、或いはネットワークや入力端子を介して取り込まれた動画像、静止画像のビューワ機能を有するカメラ制御プログラムと、電子メールの作成や送受信を制御するための電子メール管理プログラムと、ユーザのスケジュールが登録されたスケジュール帳の管理を行うためのスケジュール帳管理プログラムと、インターネット等の所定のネットワーク上のＷｅｂサイトの閲覧等を行うためのＷｅｂブラウジングプログラムと、電話帳の管理を行うための電話帳管理プログラムと、音楽コンテンツの再生を行うための音楽プレーヤプログラムとが記憶されている。
【００２０】
また、メモリ１３には、電子メール、スケジュール、Ｗｅｂサイトのホームページ等の文字を表示する際に、この表示する文字から検出する各キーワードが記憶されたキーワードデータベースと、上記表示する文字から検出したキーワードに対応する付加情報が付加された画像情報（静止画像コンテンツや動画像コンテンツ）を検索し、この検索した画像情報のサムネイル画像を表示するための表示制御プログラムが記憶されている。
【００２１】
また、メモリ１３には、ユーザの所望のスケジュールが登録されるスケジュール帳と、ユーザの知人や友人等の静止画像、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００２２】
［静止画像コンテンツの付加情報］
メモリ１３に記憶される「静止画像コンテンツ」に対しては、各静止画像コンテンツの記憶時に、撮影時刻／保存時刻情報、管理用タイトル（＝表題）、ファイル種別情報、ファイルサイズ情報、取得元情報、及び撮像位置情報等の各付加情報が付加されて該メモリ１３に記憶されるようになっている。
【００２３】
撮影時刻情報は、カメラ部８で撮像を行った静止画像をメモリ１３に保存する際に、制御部１４がタイマ１０で計時されている時刻情報を取り込んで静止画像コンテンツに付加した情報である。
【００２４】
なお、所定のＷｅｂサイトからダウンロード等を行った静止画像の場合、撮影時刻情報が付加されていないものもある。この場合、制御部１４は、メモリ１３に静止画像コンテンツを保存する際に、タイマ１０から時刻情報（＝保存時刻）を取り込み、これをダウンロード等を行った静止画像に対して付加するようになっている。
【００２５】
管理用タイトルは、静止画像コンテンツのタイトル名を示すデータである。この管理用タイトルとしては、カメラ部８で撮像した静止画像コンテンツをメモリ１３に保存する際に、制御部１４が、タイマ１０から取り込んだ現在時刻情報に対応する撮影年月日及び撮影時刻を上記静止画像コンテンツに対して自動的に付加するようになっている。すなわち、カメラ部８で撮像された静止画像コンテンツの管理用タイトルとしては、最初は、撮影年月日及び撮影時刻が自動的に付加される。
【００２６】
この管理用タイトルは、静止画像コンテンツをメモリ１３に保存した後に編集が可能となっている。管理用タイトルの編集を行う場合、ユーザは、所望のタイミングで管理用タイトルの編集画面を表示させ、操作部６を操作して所望の管理用タイトルを入力する。制御部１４は、このユーザにより入力された管理用タイトルを、その静止画像コンテンツに付加されている上記自動的に付加された撮影年月日及び撮影時刻に上書きする。これにより、その静止画像コンテンツの管理用タイトルが所望の管理用タイトルに変更されることとなる。
【００２７】
なお、制御部１４は、所定のＷｅｂサイトからダウンロード等を行った静止画像コンテンツのうち、既に管理用タイトルが付加されている静止画像コンテンツは、その付加されている管理用タイトルをそのまま取り扱い、管理用タイトルが付加されていない静止画像コンテンツは、ダウンロードを行った年月日及び時刻を管理用タイトルとして、その静止画像コンテンツに自動的に付加する。この自動的に付加された管理用タイトルも、前述の管理用タイトルの編集画面においてユーザが任意に変更可能となっている。
【００２８】
ファイル種別情報は、その静止画像コンテンツの画像形式を示す情報であり、例えばＪＰＥＧ（JPEG：Joint Photographic Experts Group）、ＧＩＦ（GIF：Graphic Interchange Format）、ＳＷＦ形式（SWF：Shockwave Flash、登録商標）等の各種画像形式を示す情報が付加される。
【００２９】
ファイルサイズ情報は、静止画像コンテンツのファイルサイズを示す情報であり、例えば４５ｋｂｙｔｅ、２Ｍｂｙｔｅ等のファイルサイズを示す数値が付加される。
【００３０】
取得元情報ンは、その静止画像コンテンツの取得元を示す情報であり、例えばカメラ部８で撮像された静止画像コンテンツの場合、取得元がカメラ部８であることを示す情報が付加され、所定のＷｅｂサイトからダウンロードした静止画像コンテンツの場合、取得元が上記Ｗｅｂサイトであることを示す情報が付加される。
【００３１】
撮像位置情報は、カメラ部８で静止画像コンテンツの撮像が行われた際に、制御部１４が、ＧＰＳアンテナ１１及びＧＰＳユニット１２で検出された現在位置情報を取り込み、これを撮像位置情報として付加する情報である。
【００３２】
なお、制御部１４は、所定のＷｅｂサイトからダウンロード等を行った静止画像コンテンツのうち、既に撮像位置情報が付加されている静止画像コンテンツは、その付加されている撮像位置情報をそのまま取り扱い、撮像位置情報が付加されていない静止画像コンテンツは、ダウンロードを行った際にＧＰＳアンテナ１１及びＧＰＳユニット１２で検出された現在位置情報を撮像位置情報として付加する。
【００３３】
［文字情報に関連する画像情報の表示動作］
次に、当該実施の形態の携帯電話機は、電子メール、スケジュール、Ｗｅｂサイトのホームページ等の文字を表示部５に表示する際に、この表示する文字に関連する静止画像を自動的に検索して表示するようになっている。この文字情報に関連する画像情報の表示動作の流れを、図２のフローチャートに示す。この図２のフローチャートは、制御部１４が、電子メール、スケジュール、Ｗｅｂサイトのホームページ等の文章情報（文字情報）の表示を検出したタイミングで、メモリ１３に記憶されている表示制御プログラムに基づいて、処理をスタートさせる。
【００３４】
ステップＳ１では、制御部１４が、メモリ１３のキーワードデータベースに記憶されているキーワードと同じキーワードを、表示部５に表示する文章情報から検出する。具体的には、キーワードデータベースに記憶されているキーワードとしては、例えば「品川」、、「新橋」、「銀座」、「東京」、「札幌」、「北海道」等の地名や、「遊園地」、「動物園」、「水族館」、「○○テーマパーク」、「○○紅葉園」等の行楽地名や、「○○ビル」、「○○ヒルズ」等の建物名、「２月１４日（バレンタインデー）」、「５月５日（子供の日）」、「１２月２４日（クリスマスイブ）」等の国民的行事の日付、「食事会」、「運動会」、「文化祭」等のイベント名、「野球」、「サッカー」、「バレーボール」、「水泳」等のスポーツ名や、「昨日」、「今日」、「明日」、「明後日」等の日付に関連する語句等の各種のキーワードが記憶されている。
【００３５】
また、メモリ１３のキーワードデータベースには、各建物や行楽地等の位置情報も、キーワードとして記憶されている。なお、この例では、各建物や行楽地等の位置情報はキーワードデータベースに記憶されていることとして説明を進めるが、各建物や行楽地等の位置情報は、制御部１４が、各建物や行楽地等の位置情報の配信サービスを行っている所定のネットワーク上のサーバ装置にアクセスして取得してもよい。
【００３６】
制御部１４は、このキーワードデータベースに記憶されているキーワードと同じキーワードを、これから表示部５に表示しようとしている文章情報の中から検出する。なお、これから表示部５に表示しようとしている文章情報の中に、上記キーワードデータベースに記憶されているキーワードと同じキーワードが存在しない場合、制御部１４は、そのままこの図２のフローチャートの処理を終了させる。
【００３７】
次に、ステップＳ２では、制御部１４が、文章情報中から検出した上記キーワードとなる文字に対して、例えばアンダーラインを付加し、または、当該文字の表示色を変更し、或いは当該文字の表示輝度を高輝度化する等の明示化処理を施したうえで、上記文章情報を表示部５に表示制御する。
【００３８】
図３（ａ）に、明示化処理が施されたキーワードを本文中に含む受信電子メールコンテンツの表示例を示す。この図３（ａ）は、受信電子メールコンテンツの本文中に「昨日」、「遊園地」とのキーワードが含まれている例である。この場合、「昨日」及び「遊園地」とのキーワードに対して、例えばアンダーラインを付加する明示化処理が施されたうえで、当該電子メールコンテンツの表示が行われることとなる。なお、スケジュール、Ｗｅｂサイトのホームページ、メモ帳等の文章情報の表示時も同様であり、制御部１４は、これら文章情報から上記所定のキーワードを検出し、明示化処理を施したうえで表示部５に表示する。
【００３９】
これにより、ユーザは、上記明示化処理が施されたキーワードに対応する静止画像コンテンツがメモリ１３に記憶されていることを認識することができる。
【００４０】
次に、ステップＳ３では、制御部１４が、文章情報中から検出した上記キーワードに対応する付加情報を有する静止画像コンテンツをメモリ１３から検出する。具体的には、上記図３（ａ）に示した例の場合、受信電子メールコンテンツの本文中に「昨日」とのキーワードが含まれているため、制御部１４は、この受信電子メールコンテンツの受信日の前日に相当する撮影時刻／保存時刻情報が付加されている静止画像コンテンツをメモリ１３から検出する。
【００４１】
また、制御部１４は、受信電子メールコンテンツの本文中に「遊園地」とのキーワードが含まれているため、制御部１４は、この「遊園地」との管理用タイトルが付加されている静止画像コンテンツをメモリ１３から検出する。
【００４２】
また、制御部１４は、「○○ランド」や「○○動物園」等の固有名称が上記キーワードとして検出された場合、この固有名称の管理用タイトルが付加されている静止画像コンテンツをメモリ１３から検出する。さらに、固有名称が付されている遊園地や建物等は、現存する場所の位置情報も周知となっているため、制御部１４は、この検出された固有名称に対応する位置情報をキーワードデータベースから検出し、このキーワードデータベースから検出した位置情報が、上記付加情報として付加されている静止画像コンテンツをメモリ１３から検出する。
【００４３】
すなわち、制御部１４は、単に上記キーワードに一致する静止画像コンテンツを検出するのみならず、上記キーワードに関連する付加情報を有する静止画像コンテンツをメモリ１３から検出するようになっている。
【００４４】
次に、ユーザは、上記明示化処理が施されたキーワードに対応する静止画像コンテンツのサムネイル画像の表示を指定する場合、操作部６を所定操作することで、これを指定する。制御部１４は、ステップＳ４において、このサムネイル画像の表示指定操作の有無を監視しており、この表示指定操作を検出したタイミングで、処理をステップＳ５に進める。
【００４５】
ステップＳ５では、制御部１４が、上記表示指定操作のなされたキーワードに対応する付加情報を有する静止画像コンテンツのサムネイル画像を形成し（＝ステップＳ３で検出された静止画像コンテンツのサムネイル画像を形成し）、これを図３（ｂ）に示すように一覧的に表示部５に表示制御する。例えば、上記図３（ａ）に示した例で説明すると、受信電子メールコンテンツの本文中に含まれる「昨日」とのキーワードに対応する、当該受信電子メールコンテンツの受信日の前日に撮像（或いは保存）された静止画像コンテンツのサムネイル画像が一覧的に表示部５に表示されることとなる。
【００４６】
また、「遊園地」とのキーワードに関連する、例えば「遊園地にて」、或いは「遊園地の観覧車」等の付加情報が付加された静止画像コンテンツや、その遊園地の位置情報を上記付加情報として有する静止画像コンテンツのサムネイル画像が一覧的に表示部５に表示されることとなる。
【００４７】
これにより、文字情報と静止画像コンテンツを関連づけて取り扱うことができ、文字情報の表示時に、当該表示する文字情報に関連する静止画像コンテンツのサムネイル画像を自動的に表示することで、メモリ１３に記憶されている静止画像コンテンツを有効に活用可能とすることができる。
【００４８】
また、表示されている文字情報に関連する静止画像コンテンツの存在を、ユーザに対して自動的に知らせることができる。このため、ユーザが忘れていたり、見つけられなかった静止画像コンテンツが表示される機会を増やすことができ、ユーザの想い出の想起等を図ることができる。
【００４９】
次に、このように一覧表示されたサムネイル画像の中から所望のサムネイル画像に対応する静止画像コンテンツを表示したい場合、ユーザは、操作部６を操作することで、上記一覧表示されたサムネイル画像のうち、所望のサムネイル画像にカーソルを移動操作し、決定キーを押圧操作する。制御部１４は、ステップＳ６において、このような静止画像コンテンツの表示指定操作の有無を監視しており、この表示指定操作を検出したタイミングで、処理をステップＳ７に進め、例えば図３（ｃ）に示すように、各サムネイル画像の中からユーザにより選択されたサムネイル画像に対応する静止画像コンテンツを表示部５に表示制御して、この図２のフローチャートに示す処理を終了する。
【００５０】
なお、この例では、一覧表示されたサムネイル画像の中から選択されたサムネイル画像に対応する静止画像コンテンツを表示することとしたが、一覧表示されたサムネイル画像の中から所望のサムネイル画像が選択された際に、この選択されたサムネイル画像に対応する静止画像コンテンツを添付ファイルとした電子メールの作成画面を自動的に起動してもよい（ＨＴＭＬメールの場合は自動的に起動した電子メールの作成画面の本文中に貼り付けてもよい。）。
【００５１】
また、一覧表示されたサムネイル画像の中から所望のサムネイル画像が選択された際に、この選択されたサムネイル画像に対応する静止画像コンテンツに対して、いわゆるブックマークを付加し、後に閲覧可能としてもよいし、一覧表示されたサムネイル画像に対応する各静止画像コンテンツを、まとめて所望のフォルダに移動やコピー可能としてもよい。
【００５２】
［実施の形態の効果］
以上の説明から明らかなように、この実施の形態の携帯電話機は、メモリ１３に記憶されている各静止画像コンテンツ毎に、管理用タイトル、撮像年月日、撮像場所等の所定の付加情報が付加されており、表示部５に電子メールコンテンツやスケジュールコンテンツ等の文字情報を表示する際に、この表示する文字情報からキーワードを検出する。そして、メモリ１３に記憶されている静止画像コンテンツの中から、この検出したキーワードに関連する付加情報が付加されている静止画像コンテンツを検出し、この検出した静止画像コンテンツのサムネイル画像を一覧表示する。
【００５３】
これにより、文字情報と静止画像コンテンツを関連づけて取り扱うことができ、文字情報の表示時に、当該表示する文字情報に関連する画像情報のサムネイル画像を自動的に表示することで、メモリ１３に記憶されている静止画像コンテンツを有効に活用可能とすることができる。
【００５４】
また、表示されている文字情報に関連する静止画像コンテンツの存在を、ユーザに対して自動的に知らせることができるため、ユーザが忘れていたり、見つけられなかった静止画像コンテンツが表示される機会を増やすことができ、ユーザの想い出の想起等を図ることができる。
【００５５】
［変形例］
上述の実施の形態の説明では、図３（ａ）及び図３（ｂ）からわかるように、文章情報とは別にサムネイル画像の一覧を表示することとしたが、これは、図４に示すように文章情報と共にサムネイル画像の一覧を表示してもよい。この場合でも上述と同じ効果を得ることができる。
【００５６】
また、図５に示すように、文章情報中のキーワードに近接して、当該キーワードに対応するサムネイル画像を表示してもよいし、このキーワードに対応する静止画像コンテンツが存在することを示すアイコン（或いはメッセージでもよい。）を表示してもよい。この場合でも上述と同じ効果を得ることができる。
【００５７】
また、上述の実施の形態の説明では、本発明を携帯電話機に適用することとしたが、本発明は、この携帯電話機以外であっても、ＰＨＳ電話機（PHS：Personal Handyphone System）やＰＤＡ装置（PDA：Personal Digital Assistant）、或いはノート型、デスクトップ型のパーソナルコンピュータ装置や携帯ゲーム機等、文字情報及び画像情報を取り扱う機器であれば、どのような機器に適用しても上述と同じ効果を得ることができる。
【００５８】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００５９】
【図１】本発明を適用した実施の形態となる携帯電話機のブロック図である。
【図２】実施の形態の携帯電話機における、表示する文字情報に関連する画像情報のサムネイル画像を表示する動作を説明するためのフローチャートである。
【図３】実施の形態となる携帯電話機における、表示する文字情報に関連する画像情報のサムネイル画像を表示する動作を説明するための図である。
【図４】実施の形態の携帯電話機における、表示する文字情報に関連する画像情報のサムネイル画像を表示する他の動作を説明するための図である。
【図５】実施の形態の携帯電話機における、表示する文字情報に関連する画像情報のサムネイル画像を表示する、さらに他の動作を説明するための図である。
【符号の説明】
【００６０】
１  アンテナ、２  通信回路、３  スピーカ部、４  マイクロホン部、５  表示部、６  操作部、７  発光部（ＬＥＤ）、８  カメラ部、９  バイブレーションユニット、１０  タイマ、１１  ＧＰＳアンテナ、１２  ＧＰＳユニット、１３  メモリ、１４  制御部
【図１】
2008177642.tif 000003
【図２】
2008177642.tif 000004
【図３】
2008177642.tif 000005
【図４】
2008177642.tif 000006
【図５】
2008177642.tif 000007